(57)【要約】【課題】  有機感光体など比較的熱伝導率の低い感光体を用い、画像形成の高速化と、装置全体の小型化に伴う熱定着器の悪影響の除去方法の提供にある。【解決手段】  導電性支持体上に中間層と有機光導電層を有する電子写真感光体、クリーニングブレード方式のクリーニング装置及び熱定着方式の定着器を用いた画像形成装置において、装置が使用されていない静止時に、クリーニングブレードの感光体への当接を解除することを特徴とする画像形成装置。【選択図】        図１
2004163972.tif 000002
【特許請求の範囲】
【請求項１】
導電性支持体上に中間層と有機光導電層を有する電子写真感光体、クリーニングブレード方式のクリーニング装置及び熱定着方式の定着器を用いた画像形成装置において、装置が使用されていない静止時に、クリーニングブレードの感光体への当接を解除することを特徴とする画像形成装置。
【請求項２】
導電性支持体上に中間層と有機光導電層を有する電子写真感光体及び熱定着方式の定着器を用いた画像形成装置において、装置が使用されていない静止状態が１時間以上続いても感光体表面の温度偏差が１０℃以下であることを特徴とする画像形成装置。
【請求項３】
前記感光体の中間層が有機金属化合物及びシランカップリング剤の少なくも１つ、もしくはそれらからの形成物を含むことを特徴とする請求項１又は２に記載の画像形成装置。
【請求項４】
前記感光体の中間層が下記一般式（１）であらわされる有機金属化合物及び下記一般式（２）であらわされるシランカップリング剤の双方、又は双方より形成されるものを含むことを特徴とする請求項３に記載の画像形成装置。
一般式（１）  （ＲＯ）mＭＸn
一般式（２）  （Ｚ）a（Ａ）bＳｉ（Ｙ）c
（一般式（１）中、Ｒはアルキル基を表し、Ｍはジルコニウム、チタニウムまたはアルミニウムを表し、Ｘはアセト酢酸エステル残基またはβジケトン残基を表し、ｍ，ｎは１以上の整数を表す。ただしＭがジルコニウムまたはチタニウムの場合、ｍ＋ｎは４であり、Ｍがアルミニウムの場合はｍ＋ｎは３である。
一般式（２）中、Ｚは加水分解性基を表し、Ａはアルキル基またはアリール基を表し、Ｙは−ＢＯＯＣＣ（Ｒ′）＝ＣＨ22−ＢＮＨＲ″または−ＢＮＨ2を表す。Ｒ′はアルキル基を表し、Ｒ″はアルキル基またはアリール基を表し、Ｂはアルキレン基または−Ｏ−，−ＮＨ−，−ＮＲ′−，−ＣＯ−を含むアルキレン基を表す。ａ，ｃは１以上、ｂは０以上の整数を表し、ａ＋ｂ＋ｃは４である。）
【請求項５】
前記中間層に含有される有機金属化合物中の金属が、チタニウム又はアルミニウムであることを特徴とする請求項３または４に記載の画像形成装置。
【請求項６】
前記有機光導電層がフタロシアニン系化合物を含むことを特徴とする請求項１〜５の何れか一項に記載の画像形成装置。
【請求項７】
前記有機光導電層がオキソチタニルフタロシアニンを含むことを特徴とする請求項６に記載の画像形成装置。
【発明の詳細な説明】
【技術分野】
【０００１】
本発明は、複写機やプリンターとして用いられる画像形成装置に関するものである。
【背景技術】
【０００２】
電子写真複写機用の感光体として、これまで様々な材料が開発されてきた。当初、感光体の光導電性化合物としてセレン、酸化亜鉛、硫化カドミウム等を用いた無機感光体が広く用いられてきた。しかし、これらは熱安定性、耐湿性、耐刷性、生産性等において必ずしも満足しうるものではなく、加えて公害問題等環境適応性上大きな問題があることから、代わってα−Ｓｉや有機感光体の開発が近年盛んに行われてきた。
【０００３】
α−Ｓｉの感光体は、機械的強度が強く耐刷性は優れているが、帯電電位が低く、電荷の保持性が劣る等の問題があり、他にも様々の特性上の問題がある。
【０００４】
もう一方の有機感光体は電荷発生物質、電荷輸送物質等をはじめ、様々な材料が開発され、感度、耐刷性、繰り返し使用時の画像安定性等の比較的良好なものが開発されている（特許文献１）。
【０００５】
しかしながら、電荷発生物質は、その発生能が温度の影響を受けるものであり、高温では低温に比べて電荷発生能が高くなり、材料に拠ってはその差が非常に大きいことが、画像欠陥を生じる基となる。
【０００６】
現在実用化されている電子写真方式の作像プロセスは、感光体の一様帯電、像露光、現像、感光体より転写体への像転写後定着、像転写後の感光体のクリーニングの各工程を経て、定着工程には、現在圧倒的に熱定着方式が用いられている。この方式では画像形成が行われていない時でも、定着器を２００℃付近の所定温度に保っておく必要がある。
【０００７】
一方、装置の小型化という最近の動向から、感光体と定着器は接近する傾向にあり、前記のごとく高速化の要望も強いことから、装置としては高温の定着器を感光体に近接配置する構成を採らざるを得ないことになる（特許文献２参照）。
【０００８】
従って、感光体についても定着器に近い側の表面は遠い側の表面に比べて、定着器からの熱の供給を受けてしまい、感光層内で熱の拡散が行われないと大きな温度偏差をもつことになる。温度偏差が大きいと、感光体に極端に電位発生能の高い部分、つまり感度が高い部分が生じてしまい、ハーフトーン等の画像を画出しした場合、そこが濃度ムラになる等、画像欠陥を生じる。
【０００９】
従って、小型、高速で高画質な画像形成装置を実用化する上で、有機感光体など比較的熱伝導率の低い感光体を用いる場合、この定着器からの熱の影響が大きな問題と成ることがわかった。
【特許文献１】特開昭６２−１３５８４７号公報
【特許文献２】特開昭６２−２６２０６３号公報
【発明の開示】
【発明が解決しようとする課題】
【００１０】
本発明の目的は、有機感光体など比較的熱伝導率の低い感光体を用い、画像形成の高速化と、装置全体の小型化に伴う熱定着器の悪影響の除去方法の提供にある。
【課題を解決するための手段】
【００１１】
本発明の目的は、下記構成の何れかを採ることにより達成される。
【００１２】
（請求項１）
導電性支持体上に中間層と有機光導電層を有する電子写真感光体、クリーニングブレード方式のクリーニング装置及び熱定着方式の定着器を用いた画像形成装置において、装置が使用されていない静止時に、クリーニングブレードの感光体への当接を解除することを特徴とする画像形成装置。
【００１３】
（請求項２）
導電性支持体上に中間層と有機光導電層を有する電子写真感光体及び熱定着方式の定着器を用いた画像形成装置において、装置が使用されていない静止状態が１時間以上続いても感光体表面の温度偏差が１０℃以下であることを特徴とする画像形成装置。
【００１４】
（請求項３）
前記感光体の中間層が有機金属化合物及びシランカップリング剤の少なくも１つ、もしくはそれらからの形成物を含むことを特徴とする請求項１又は２に記載の画像形成装置。
【００１５】
（請求項４）
前記感光体の中間層が下記一般式（１）であらわされる有機金属化合物及び下記一般式（２）であらわされるシランカップリング剤の双方、又は双方より形成されるものを含むことを特徴とする請求項３に記載の画像形成装置。
【００１６】
一般式（１）  （ＲＯ）mＭＸn
一般式（２）  （Ｚ）a（Ａ）bＳｉ（Ｙ）c
（一般式（１）中、Ｒはアルキル基を表し、Ｍはジルコニウム、チタニウムまたはアルミニウムを表し、Ｘはアセト酢酸エステル残基またはβジケトン残基を表し、ｍ，ｎは１以上の整数を表す。ただしＭがジルコニウムまたはチタニウムの場合、ｍ＋ｎは４であり、Ｍがアルミニウムの場合はｍ＋ｎは３である。
【００１７】
一般式（２）中、Ｚは加水分解性基を表し、Ａはアルキル基またはアリール基を表し、Ｙは−ＢＯＯＣＣ（Ｒ′）＝ＣＨ22−ＢＮＨＲ″または−ＢＮＨ2を表す。Ｒ′はアルキル基を表し、Ｒ″はアルキル基またはアリール基を表し、Ｂはアルキレン基または−Ｏ−，−ＮＨ−，−ＮＲ′−，−ＣＯ−を含むアルキレン基を表す。ａ，ｃは１以上、ｂは０以上の整数を表し、ａ＋ｂ＋ｃは４である。）
（請求項５）
前記中間層に含有される有機金属化合物中の金属が、チタニウム又はアルミニウムであることを特徴とする請求項３または４に記載の画像形成装置。
【００１８】
（請求項６）
前記有機光導電層がフタロシアニン系化合物を含むことを特徴とする請求項１〜５の何れか一項に記載の画像形成装置。
【００１９】
（請求項７）
前記有機光導電層がオキソチタニルフタロシアニンを含むことを特徴とする請求項６に記載の画像形成装置。
【発明の効果】
【００２０】
本発明により、有機感光体など比較的熱伝導率の低い感光体を用い、画像形成の高速化と、装置全体の小型化に伴う熱定着器の悪影響の除去方法を提供することができる。
【発明を実施するための最良の形態】
【００２１】
本発明において、装置が静止状態とは画像形成動作を行っていない状態のことである。作像プロセスを行って画像形成を実際に行っている場合、及び其の準備動作として感光体ドラムや定着器ローラを回転させている場合は除き、指令が出れば画像形成動作又はその直接の準備動作が始められるように画像形成装置がセットアップされている状態をいい、装置が止まっている時を静止時という。
【００２２】
本発明者等は、有機電子写真感光体をコンパクト化された高速機に組み込むと、時として段ムラ状の画像欠陥が現れるが、この原因が、感光体表面が熱定着器により暖められ、特に定着器に近接した部分が局部的に温度上昇し、結果として感度バラツキを生じて起こることを突き止め、本発明に至った。
【００２３】
本発明における熱定着方式の定着器とは、６００〜２０００Ｗ／ｈｒ程度の熱源を内蔵した金属製のローラである場合がほとんどである。しかし、本発明においては熱定着方式のものであればローラ形状のものに限定されるものではない。
【００２４】
本発明の構成をさらに説明する。
【００２５】
本発明の課題である熱定着器の熱の影響除去については、これが必要となるのは熱伝導率の低い感光体である。
【００２６】
具体的には有機感光体が例として挙げられる。有機感光体としては、導電性支持体上に中間層、感光層を積層したものである。この有機感光体が熱定着器の熱の影響を最も受けるのは感光体にクリーニングブレードが接している場合で、この接点付近に特に定着器からの熱の供給がされやすい。十分熱伝導率が高い感光体であれば、熱は次々とブレードとの非接触部分に拡散され、温度偏差は十分小さく、従って問題となるような画像の濃度ムラは発生しない。
【００２７】
有機感光体等、熱伝導率の小さな感光体を、濃度ムラの画像欠陥を発生させることなく使いこなすために、種種の検討を行ったところ、下記の手段が有効なことがわかった。
（１）温度偏差が生じたら、それが画像ムラとして表れる前に、感光体ドラムを回転して、その温度偏差を緩和する。つまり、装置を使用していない静止時に、静止状態がある一定時間以上経つと感光体を回転させる。
（２）温度偏差を生じる要因となる感光体とブレードとの当接をしない、つまり、装置を使用していない静止時に、クリーニングブレードの感光体への当接を解除する。
【００２８】
ここにおいて、（１）の一定時間については３０分以上経つと、濃度ムラとして画像欠陥を生じることがあるなど、温度偏差が大きくなるので、３０分以内とすることが好ましい。又、機器の組み立てや制御の面からは、１分以上の間隔があることが望ましい。
【００２９】
又、画像欠陥を発生しない境界の温度偏差は、１０℃程度という検討結果も本発明者らによって得られた。従って、この温度以下に温度偏差を抑えることが必要である。
【００３０】
本発明の画像形成のプロセス手段が有効に適用できる有機感光体としては、公知のものが広く当てはまる。中でも感光層にフタロシアニン顔料、特にオキソチタニルフタロシアニンを電荷発生物質として含むものは、本来高感度で優れた特性をもつにもかかわらず、温度偏差による濃度ムラが発生しやすいので、本発明の方法が必要、且つ有効なケースである。
【００３１】
また、本発明のプロセス手段に加えて、感光体処方の面からこの温度偏差による濃度ムラを低減する手段として、中間層を有機金属化合物、あるいはシランカップリング剤の少なくとも１つを含むものから形成されたものを用いることが有効であることがわかった。
【００３２】
一般に多く用いられる樹脂の中間層は温度が低いほど抵抗が高く、バイアス性が高くなり、温度が高いとこの逆になる。従って、低温で電荷発生能の低い場合は中間層の抵抗が高いこともあり、感度低下や電位のすそぎれが悪く、逆に高温で電荷発生能が高く、中間層の抵抗も低いと感度も高くなる。
【００３３】
その点では、硬化型中間層は抵抗の温度依存性が小さく、感光体全体として環境依存性を小さくする効果があり、温度偏差による濃度ムラを低減できる。
【００３４】
本発明に好ましく用いられる中間層（下引層）は、いわゆる硬化型中間層であり、有機金属化合物又はシランカップリング剤、もしくはそれらから形成されたものを主成分とし、溶媒で希釈し塗布液とする。この液を塗布、乾燥硬化して形成される。
【００３５】
硬化型中間層は、前述のごとく、有機金属化合物又はシランカップリング剤、もしくはそれらから形成されたものを主成分としたものを含有し、１００％それらの反応生成物であることが好ましいが、前記反応生成物の原料その他の成分を含む場合も本発明において好ましく採用されるものである。
【００３６】
有機金属化合物としては、金属アルコキシド及び金属キレート化合物が挙げられる。金属の種類としては、チタニウム、ジルコニウム又はアルミニウムなどが一般的なものとして挙げられる。
【００３７】
前記金属アルコキシドとしては、テトラプロポキシチタン、テトラブトキシチタン、テトラプロポキシアルミニウム、テトラブトキシジルコニウムなどが挙げられる。
【００３８】
前記金属キレート化合物としては、数多くの種類があり、キレート基の種類としては、
（１）アセチルアセトン、２，４−ヘプタンジオンなどのβ−ジケトン
（２）アセト酢酸メチル、アセト酢酸エチル、アセト酢酸プロピル、アセト酢酸ブチルなどのケトエステル
（３）乳酸、サリチル酸、リンゴ酸などのヒドロキシカルボン酸
（４）乳酸メチル、乳酸エチル、サリチル酸エチル、リンゴ酸エチルなどのヒドロキシカルボン酸エステル
（５）オクタンジオール、ヘキサンジオールなどのグリコール
（６）４−ヒドロキシ−４−メチル−２−ペンタノンなどのケトアルコール
（７）トリエタノールアミンなどのアミノアルコール
などが挙げられる。それら化合物としては、
ジイソプロポキシチタニウムビス（アセチルアセテート）
ジイソプロポキシアルミニウムビス（アセチルアセテート）
ブトキシジルコニウムトリ（アセチルアセテート）
ジイソプロポキシチタニウムビス（エチルアセトアセテート）
ジイソプロポキシアルミニウムビス（エチルアセトアセテート）
ジイソプロポキシチタニウムビス（ラクテート）
ジブトキシチタニウムビス（オクチレングリコレート）
ジイソプロポキシチタニウムビス（トリエタノールアミナート）
などが例として挙げられる。
【００３９】
中でも、β−ジケトンケトエステルのキレート基を持つ化合物は、電位特性、画像特性とも良好な特性を示し、特にキレート基とアルコキシ基を両方持つ化合物が好ましい。
【００４０】
有機金属化合物は、以下の構造の化合物が好ましい。
【００４１】
（ＲＯ）mＭＸn
Ｒはアルキル基を表し、Ｍはチタニウム、ジルコニウム又はアルミニウムを表し、Ｘはキレート形成基でアセト酢酸エステル又はβジケトン残基を表し、ｍ、ｎは１以上の整数を表す。但し、Ｍがチタニウム又はジルコニウムの場合ｍ＋ｎは４であり、Ｍがアルミニウムの場合ｍ＋ｎは３である。
【００４２】
上記のジルコニウム、チタニウム、アルミニウムの中でも、ジルコニウムは塗布液を調液後時間が経つと析出物を生じやすいなど、実用上不都合な点もある。
【００４３】
それに対し、チタニウム、アルミニウムは塗布液の安定性にも優れており、この点で特に好ましいものと言える。
【００４４】
シランカップリング剤は、以下の構造の化合物が好ましい。
【００４５】
（Ｚ）a（Ａ）bＳｉ（Ｙ）c
Ｚ：加水分解性基（例えばアルコキシ基、ハロゲン原子又はアミノ基）
Ａ：アルキル基又はアリール基
Ｙ：有機官能基
ａ，ｂ，ｃ：ａ，ｃは１以上、ｂは０以上の整数を表し、ａ＋ｂ＋ｃ＝４である。その特性を大きく左右する有機官能基Ｙの末端基の種類としては、
γ−メタクリロキシ基
γ−アミノ基
Ｎ−フェニル−γ−アミノ基
Ｎ−β（アミノエチル）γ−アミノ基
γ−グリシドキシ基
β−（３，４エポキシシクロヘキシル）基
γ−クロロ基
γ−メルカプト基
等が挙げられ、化合物としては、
γ−アミノプロピルトリメトキシシラン
Ｎ−β（アミノエチル）γ−アミノプロピルトリメトキシシラン
Ｎ−フェニル−γ−アミノプロピルトリメトキシシラン
γ−メタクリロキシプロピルトリメトキシシラン
γ−グリシドキシプロピルメトキシシラン
β−（３，４エポキシシクロヘキシル）トリメトキシシラン
γ−クロロプロピルトリメトキシシラン
γ−メルカプトプロピルトリメトキシシラン
等が挙げられる。中でも、γ−メタクリロキシ基、γ−アミノ基、Ｎ−フェニル−γ−アミノ基を末端に有する有機官能基を持つ化合物は、電位特性、画像特性とも良好な特性を示す。
【００４６】
シランカップリング剤として好ましいのは、有機官能基Ｙが、−ＢＯＯＣ（Ｒ′）Ｃ＝ＣＨ2、ＢＮＨＲ″又は−ＢＮＨ2であり、Ｒ′はアルキル基、Ｒ″はアルキル基又はアリール基を表し、Ｂはアルキレン基又は−Ｏ−、−ＮＨ−、−ＣＯ−を含むアルキレン基を表す。
【００４７】
以上に示した有機金属化合物、シランカップリング剤は一例であり、これらに限定されるものではない。又、好ましいとして示した化合物も、本発明の目的を特に高いレベルで達することができるものということで挙げたものであり、これ以外の化合物でも本発明の目的を達するものは存在する。
【００４８】
中間層は、有機金属化合物及びシランカップリング剤の双方より形成されるものを含有して形成されることが好ましく、その際は、特に優れた電位特性、画像特性を示す。
【００４９】
本発明において下引層は、上記の有機金属化合物又はシランカップリング剤、もしくはそれらから形成されたものを含み、必要に応じては上記のもののみの中から、或いは上記以外のものも含有することができる。又必要に応じて、樹脂等、その他の化合物を必要量だけ含有することもできる。
【００５０】
次に、これに限定されるものではないが、図１にデジタル複写機の例を挙げ、本発明の画像形成装置及び方法の説明をする。
【００５１】
図１において、図示しない原稿読み取り装置にて読み取った情報に基づき、半導体レーザ光源１から露光光が発しられる。これをポリゴンミラー２により、図１の紙面と垂直方向に振り分け、画像の歪みを補正するＦθレンズを介して、感光体面上に照射され静電潛像を作る。感光体は、あらかじめ帯電器５により一様帯電され、像露光のタイミングにあわせて時計方向に回転を開始している。
【００５２】
感光体面上の静電潛像は、現像器６により現像され、形成された現像像はタイミングを合わせて搬送されてきた転写体８に転写器７の作用により転写される。さらに感光体４と転写体８は分離器（分離極）９により分離されるが、現像像は転写体８に転写担持されて、定着器１０へと導かれ定着される。
【００５３】
感光体面に残留した未転写のトナー等は、クリーニングブレード方式のクリーニング器１１にて清掃され、転写前露光（ＰＣＬ）にて残留電荷を除き、次の画像形成のため再び帯電器５により、一様帯電される。
【００５４】
尚、転写体は代表的には普通紙であるが、現像後の未定着像を転写可能なものなら、特に限定されず、ＯＨＰ用のＰＥＴベース等も無論含まれる。
【００５５】
又、クリーニングブレード１３は、厚さ１〜３０ｍｍ程度のゴム状弾性体を用い、材質としてはウレタンゴムが最も良く用いられる。これは感光体に圧接して用いられるため熱を伝え易く、本発明においては解除機構を設け、画像形成動作を行っていない時には感光体から離しておくのが望ましいことがわかった。
【実施例】
【００５６】
以下、実施例を挙げて本発明を詳細に説明するが、本発明の態様はこれに限定されない。
〈感光体の作製〉
チタンキレート化合物  ＴＣ−７５０（松本製薬（株）製）    ２０質量部
ジイソプロポキシチタニウムビス（エチルアセテート）
シランカップリング剤  ＫＢＭ−５０３（信越化学（株）製）  １３質量部
γ−メタクリロキシトリメトキシシラン
を混合し、
２−プロパノール                                        １００質量部
で希釈して中間層塗布液を得た。
【００５７】
直径８０ｍｍのアルミニウム合金製円筒状基体を用いて中間層を浸漬塗布して１２０℃で３０分の熱処理を行い厚さ１．０μｍの中間層を得た。
【００５８】
Ｙ型オキソチタニルフタロシアニン                            ４質量部
シリコーン樹脂溶液ＫＲ−５２４０（信越化学株製）          ４５質量部
２−ブタノン                                            １００質量部
を混合し、サンドミルにて１０時間分散して電荷発生層塗布液を得た。この塗布液を前記中間層の上に浸漬塗布して厚さ０．２５μｍの電荷発生層を得た。
【００５９】
電荷輸送物質Ｔ−１                                          ８質量部
ビスフェノールＺ型ポリカーボネートＺ−３００（三菱瓦斯化学株製）
１２質量部
１，２−ジクロルエタン                                  １００質量部
を混合、溶解し電荷輸送層塗布液を得た。この塗布液を前記電荷発生層の上に浸漬塗布して１００℃、１時間の熱処理を行って厚さ２５μｍの電荷輸送層を形成し本発明の実施例の感光体を得た。
【００６０】
【化１】
2004163972.tif 000003
【００６１】
〈評価方法〉
使用機器
コニカ社製複写機  Ｋｏｎｉｃａ  Ｕ−ＢＩＸ４１５５を半導体レーザ光源（発光ピーク：７８０ｎｍ）によるデジタル像露光方式に改良して用いた（基本的構成は図１に同じ）。
【００６２】
テスト条件
複写機の電源を入れ、コピー可能状態に成った後、Ａ４原稿にて連続１００コピー行ってから、所定の時間各々のテスト条件に応じて放置、感光体の回転を繰り返した。
【００６３】
実際には感光体を表１に示すごとく定間隔で１００°回転させ、その時の感光体面の温度偏差測定と原稿実写コピーによる画像出し（Ａ４一枚、長手方向を進行方向）を行った。温度偏差は℃で直接表示し、実写コピーは感光体面の温度に対応して出来る帯状の段ムラの程度を肉眼で判定した。尚、原稿反射濃度は０．１であり、この場合感光体面の温度が高い部分は現像が進んで濃度が高くなるため、感光体ドラム軸方向に平行な段ムラとなる。
【００６４】
【表１】
2004163972.tif 000004
【００６５】
〈評価結果〉
段ムラの程度は（良）◎、○、△、×（悪）で表示し、“○”以上は実用上では問題なく、“△”なら何とか実用範囲である。表１に示されるごとく、本発明内の条件ものは実用上問題がない範囲の段ムラしか生じないが、感光体の回転を行わないものは段ムラがひどく問題がある。
【００６６】
より具体的には、下記のごとき結果を得た。
１）Ｎｏ１（本発明外）の回転を全く行わない条件では、実用上明らかに問題がある。
２）感光体の回転は、Ｎｏ２〜５のごとく３０分以下の短い間隔で行った方がよい。
３）Ｎｏ５と７の比較から、クリーニングブレードを感光体より圧接解除した方が、感光体面温度を低く抑えられ、従って段ムラも少ない。
【図面の簡単な説明】
【００６７】
【図１】本発明の画像形成装置の一例を示す構成断面図。
【符号の説明】
【００６８】
１  半導体レーザ光源
２  ポリゴンミラー
４  感光体
５  帯電器
６  現像器
７  転写器
８  転写体
９  分離極
１０  定着器
１１  クリーニング器
１２  転写前露光（ＰＣＬ）
１３  クリーニングブレード
【図１】
2004163972.tif 000005